(57)【要約】【課題】地中の地磁力や地電流を利用することにより結果疲労回復の他に、腰痛、肩凝り、冷え性等の体調改善、或いはダイエット効果等を得ることを目的とする。【解決手段】養生室６の設置された地中に炭素埋設部９を設け、養生室６の床面３、壁面４乃至天井面５の１箇所又は２箇所以上に沿って炭素層10を形成し、炭素埋設部９、炭素層10内にはアースリード線13を配設し、更に炭素層10内には温水パイプ15をした配設した体調改善装置。【選択図】 図１
2005080875.tif 000002
【特許請求の範囲】
【請求項１】
内部に設けられた使用者の養生室下方の地中に炭素埋設部を設け、該養生室の床面、壁面乃至天井面の１箇所又は２箇所以上に沿って炭素層を形成し、上記炭素埋設部、炭素層内にはアースリード線を配設したことを特徴とする体調改善装置。
【請求項２】
炭素層内には温水パイプをした配設した請求項１記載の体調改善装置。
【請求項３】
炭素層の形成された床面乃至壁面に横臥部乃至腰掛け部を形成した請求項１記載の体調改善装置。
【請求項４】
横臥部乃至腰掛け部が形成された床面乃至壁面の炭素層内に温水パイプを配設した請求項３記載の体調改善装置。
【発明の詳細な説明】
【技術分野】
【０００１】
この発明は、地中の地磁力及び地電流を利用した体調改善装置に関するものである。
【背景技術】
【０００２】
従来体調改善を目的とした健康増進装置として、例えばサウナ室の床面に断熱材層、床温熱装置、セラミックボール収納袋を設けとともに、その上部に放熱板を設けるようにしたサウナ装置が開示されている（特開2002-345918)。
【０００３】
また、スチーム化する水を磁力線を通過させて磁気水を製造し、その水をスチーム化してサウナ室に導くようにしたサウナ装置が開示されている（特開平9-182776号)。
【０００４】
更に、健康増進装置として、遠赤外線を利用したもの（特開平11-33074号、特開平11-333004号、特開2000-270976)、アルミ製の良伝熱板を利用するもの（特開平8-155004号）等が開示されている。
【特許文献１】特開2002-345918、特開平9-182776号、特開2002-35080、特開平8-154997号、特開平11-33074号、特開平11-333004号、特開2000-270976、特開平8-155004号
【発明の開示】
【発明が解決しようとする課題】
【０００５】
一方、ＰＣＢ等の汚染物を摂取して健康を害した患者が裸足で地面を歩くことにより健康を回復した例、フグの毒成分を食べてしまった患者が地中に埋めることにより体内より毒素を放出されたなど地中の地磁力乃至地電流の効能とみられる例は数多く知られている。
【０００６】
また、絶縁環境において生存率の激減或は生体異変などの多くの動物実験例に見られるように、従来絶縁環境は人間を始めとした動植物の生活環境に悪影響を及ぼすことが知られているが、これに対して、導体である炭にアース接続するとその炭がイオン力を増し、常時非絶縁環境に保たれることが実験により判明し、例えばアース炭マット上に幼児を寝かせることにより幼児の体温が35.5℃から36.3℃に上昇し、体内の活性化が実証されている。
【０００７】
更に、子マウスについて絶縁環境にあるボックスと内部に炭を敷いてアース接続したボックス内での生育試験ではアース接続した状態での生育試験が絶縁環境での生育試験に比べて著しい体重の増加が見られた。
【０００８】
この他導体である炭を用いてアース接続して体内電位を地電位と同電位として地中の地磁力を受けるようにすることにより各種の体調不良が解消されることが本願発明者の実験により判明した。
【０００９】
そこで、この発明はこれら地中の地磁力乃至地電流を利用した体調改善装置を開発することを目的とするものである。
【課題を解決するための手段】
【００１０】
この発明は、上記実情に鑑み、内部に設けられた使用者の養生室下方の地中に炭素埋設部を設け、該養生室の床面、壁面乃至天井面の１箇所又は２箇所以上に沿って炭素層を形成し、上記炭素埋設部、炭素層内にはアースリード線を配設した体調改善装置を提案するものである。
【００１１】
即ち、この発明では養生室下方の地中に塊として設けられた炭素埋設部には地電流が蓄電され、この地電流はアースリード線を通して養生室の床面、壁面乃至天井面に沿って形成された炭素層に供給され、これにより養生室内には地磁力領域が形成される。
【００１２】
したがって、この発明においては養生室内において使用者は磁力線及び遠赤外線を浴びることになり、この結果疲労回復の他に、腰痛、肩凝り、冷え性等の体調改善、或いはダイエット効果等を奏することができる。
【００１３】
更に、この発明においては炭素層に温水パイプを埋設すれば、温水パイプに送水される温水により炭素層が加熱されてサウナ効果を挙げることができる。
【００１４】
なお、従来のサウナ装置はサウナ室内の空気層を暖め、これにより皮膚を通して体温を高め発汗させるものであるが、この発明では炭素層が加熱されることにより発生する遠赤外線やマイナスイオン効果等により著しく血行の増進を図ることができる。
【００１５】
また、炭素層の形成された床面乃至壁面に横臥部乃至腰掛け部を形成するとともに該炭素層に温水パイプを配設するようにすれば、横臥部に横臥し、腰掛け部に腰掛ける使用者に磁力線及び遠赤外線を直に浴びて以上の効果を増進させることができる。
【発明の効果】
【００１６】
以上要するに、この発明によれば養生室内において床面、天井面乃至壁面から放出される磁力線及び遠赤外線を浴びて入浴することができるため、使用者は疲労回復の他に、腰痛、肩凝り、冷え性等の体調改善、或いはダイエット効果等を得ることができる。
【発明を実施するための最良の形態】
【００１７】
なお、サウナ室の床面、壁面、天井面に沿って形成される炭素層は袋或いは箱内に炭粉末を充填して形成してもよく、板材中に炭粉末を混入して形成してもよい。
【００１８】
また、この発明においてアース線は導電性の金属線を使用することができるが、アース効果を増進させるためには良導炭を筒状にしてその中に導線を挿入したものを使用してもよい。
【実施例１】
【００１９】
以下、この発明を図示の実施例に基づいて詳細に説明すると、１はこの発明に係わる体調改善装置で、装置１は地盤２上に構築され、内部には床板３、壁板４、天井板５により仕切られた養生室６が設けられ、床板３の中央部にはそれぞれ断熱板で構成された側部7aと底部7bを有する横臥部７が設けられ、コーナーには腰掛け部８が設けられる。
【００２０】
横臥部７は、この実施例では底部7bを地盤２に埋設させ、またその中央には地中へ炭塊を埋設して炭素埋設部９を形成し、更に側部7aと底部7bの表面には炭素埋設部９に連接して袋内に炭粉末を充填して構成した炭素層10が設けられ、炭素層10上にはゴザ、竹、よし等で構成された良導性の敷物11が設けられ、更にその上部には酸素吸入器12が設けられる。
【００２１】
また、床板３に沿って地盤２の表面、壁板４、天井板５の裏面、腰掛け部８の表面にはそれぞれ炭素層10が設けられる。
【００２２】
更に、炭素埋設部９、炭素層10内にはアースリード線13を配設し、アースリード線13にはアース棒14,…が設け、また、炭素層10には温水パイプ15が配設される。
【００２３】
以上の構成において、使用者は例えば横臥部７に横臥し、酸素吸入器12から酸素の供給を受けるが、この実施例では炭素埋設部９には地電流が蓄電され、この地電流はアースリード線13を通して養生室６の床面、壁面乃至天井面に沿って形成された炭素層10に供給され、これにより養生室内には地磁力領域が形成され、更には炭素層10に配設された温水パイプ15により炭素層10が加熱されて養生室内に遠赤外線が多量に放出される。
【００２４】
したがって、使用者は温水パイプ15により加温されると同時に、磁力線及び遠赤外線を浴びることになり、この結果疲労回復の他に、腰痛、肩凝り、冷え性等の体調改善、或いはダイエット効果等を奏することができる。
【００２５】
なお、断熱板で構成された横臥部７と炭素層10との間にアルミ箔からなる反射シート16を介在させれば、炭素層10より放出される遠赤外線がシート16に反射されて使用者に遠赤外線を照射させることができる。
【産業上の利用可能性】
【００２６】
この発明では地中の地磁力や地電流を利用することにより結果疲労回復の他に、腰痛、肩凝り、冷え性等の体調改善、或いはダイエット効果等を奏することができるので、一般家庭の他に、病院、療養所、旅館、ホテル、健康ランド、スポーツクラブ、公衆浴場、サウナ浴場、エステサロン等に利用できる。
【図面の簡単な説明】
【００２７】
【図１】この発明の一実施例を示す体調改善装置の側断面図
【図２】同上の要部拡大図
【図３】同上の縦断正面図
【図４】図２の平面図
【符号の説明】
【００２８】
１は体調改善装置
２は地盤
３は床板
４は壁板
５は天井板
６は養生室
７は横臥部
7aは側部
7bは底部
８は腰掛け部
９は炭素埋設部
10は炭素層
11は敷物
12は酸素吸入器
13はアースリード線
14,…はアース棒
15は温水パイプ
16はアルミ箔
【図１】
2005080875.tif 000003
【図２】
2005080875.tif 000004
【図３】
2005080875.tif 000005
【図４】
2005080875.tif 000006